(57)【要約】【課題】花器を動かすことなく、かつ、被鑑賞物を花器に挿したまま、花器内の水を交換することができ、しかも、水の送り作業を連続的に行なうことができるようにした花器用の水交換具を提供する。【解決手段】膨縮自在の弾性握筒（１）の下端には第一逆止弁（５）を備えた吸入管（３）と第二逆止弁（７）を備えた排出管（４）とを連通させ、該吸入管（３）は上部（３ａ）が排出管側に折曲していることを特徴とする花器用の水交換具。【選択図】図１
0003108976.tif 000002
【実用新案登録請求の範囲】
【請求項１】
膨縮自在の弾性握筒の下端には第一逆止弁を備えた吸入管と第二逆止弁を備えた排出管とを連通させ、該吸入管は上部が排出管側に折曲していることを特徴とする花器用の水交換具。
【考案の詳細な説明】
【技術分野】
【０００１】
本考案は、花器用の水交換具に関するものであり、更に詳しくは、切り取った植物の枝、葉、花その他の物を観賞用に挿した水盤、花瓶等の花器に収容されている水を新しい水と交換するために用いられる花器用の水交換具に係るものである。
【０００２】
本出願においては、花器に観賞用に挿される植物の枝、葉、花その他の物を「被鑑賞物」という。
【背景技術】
【０００３】
被鑑賞物を挿した花器内の水は、必要に応じて、新しい水と交換しなければならない。
【０００４】
被鑑賞物を挿した花器内の水を新しい水と交換する際には、一般に、花器を被鑑賞物と共に流し台等まで運搬し、被鑑賞物を花器から抜き取り、花器内の水を廃棄し、花器内に新しい水を注入した後、被鑑賞物を再び花器内に挿し、花器を被鑑賞物と共に元の位置まで運搬するという手法が採られている。
【０００５】
しかしながら、このような手法においては、次のような問題が生ずる。
【０００６】
（イ）花器内の水を交換した後、花器に被鑑賞物を再び挿す際に、被鑑賞物を元と同じ美しい姿に挿すことは困難である。特に、生け花の心得のない者にとっては、被鑑賞物を元通りの美しい姿に配列することは不可能である。
【０００７】
（ロ）花器を被鑑賞物と共に運搬する際に、被鑑賞物の花びらが落下し、或いは花器内の水がこぼれるおそれがある。
【０００８】
（ハ）特に大型の花器の場合、水が入っているときには、非常に重いため、これを被鑑賞物と共に運搬する作業は困難であり、危険を伴う。
【０００９】
実用新案登録第３０３０４２４号公報は、注射器と同様の構造を有する花器用の水交換器（以下、「従来の水交換器」という。）を開示している。
【００１０】
即ち、従来の水交換器は、一端を開口し、他端に水出入口を備えた中空シリンダにプランジャを摺嵌し、該水出入口にチューブを取り付けてなるものである。
【００１１】
従来の水交換器においては、チューブの先端を花器の水中に位置させた状態でプランジャを水出入口から離れる方向に引いたときには、花器内の水が中空シリンダ内に吸入され、チューブの先端をバケツ等の容器内に位置させた状態でプランジャを水出入口に接近する方向に押したときには、中空シリンダ内の水が該容器内に吐き出される。
【００１２】
即ち、従来の水交換器を使用すれば、花器を動かすことなく、かつ、被鑑賞物を花器に挿したまま、花器内の水を交換することができる。
【００１３】
従って、従来の水交換器使用すれば、上記（イ）（ロ）（ハ）の問題は、一応解決される。
【特許文献１】実用新案登録第３０３０４２４号公報
【考案の開示】
【考案が解決しようとする課題】
【００１４】
しかるに、従来の水交換器においては、次のような問題がある。
【００１５】
（ａ）花器内の水をバケツ等の容器内に排出する際には、チューブの先端を花器の水中に位置させた状態でプランジャを水出入口から離れる方向に引くことにより、花器内の水を中空シリンダ内に吸入した後、チューブの先端をバケツ等の容器内に移し、プランジャを水出入口に接近する方向に押すことにより、中空シリンダ内の水を該容器内に排出させなければならない。即ち、チューブの先端を花器の水中からバケツ等の容器内に移す作業を行なわなければならないのであるが、この作業は面倒である。新しい水をバケツ等の容器から花器内に移す際も同様である。
【００１６】
（ｂ）交換する水の量が中空シリンダの容積よりも大きいときには、上記作業を複数回繰り返す必要があるため、極めて面倒である。
【００１７】
本考案は、上記従来の技術における上述の（イ）（ロ）（ハ）（ａ）（ｂ）の問題を一挙に解決しようとしてなされたものである。
【００１８】
即ち、本考案は、花器を動かすことなく、かつ、被鑑賞物を花器に挿したまま、花器内の水を交換することができ、しかも、水の送り作業を連続的に行なうことができるようにした花器用の水交換具を提供しようとしてなされたものである。
【課題を解決するための手段】
【００１９】
上記課題を解決するために、本考案は、下記の如き花器用の水交換具を提供する。
【００２０】
膨縮自在の弾性握筒の下端には第一逆止弁を備えた吸入管と第二逆止弁を備えた排出管とを連通させ、該吸入管は上部が排出管側に折曲していることを特徴とする花器用の水交換具。
【００２１】
［考案の作用］
花器内の水を排出する際には、被鑑賞物を花器に挿した状態のまま、吸入管の下端を花器内の水中に位置させると共に、排出管の下端を花器の近傍に置いたバケツ等の空の容器内に位置させる。弾性握筒を手で握って握力により収縮させた後、該弾性握筒を握力から解放する。しかるときは、弾性握筒は弾性により元の状態まで膨張する。弾性握筒は、膨張することにより、吸引作用をなす。すると、吸入管の第一逆止弁が開くと共に排出管の第二逆止弁が閉じ、花器内の水は吸入管を上り、第一逆止弁を通過して弾性握筒内に流入する。
【００２２】
続いて、水で満たされた弾性握筒を手で再び収縮させると、吸入管の第一逆止弁が閉じると共に排出管の第二逆止弁が開き、弾性握筒内の水は第二逆止弁を通過して排出管よりバケツ等の容器内に排出される。
【００２３】
以上の如き弾性握筒の膨張収縮を花器内の水がなくなるまで連続的に繰り返す。
【００２４】
花器内の水がなくなった後、バケツ等の容器内にある古い水を廃棄し、該容器に新しい水を入れ、該容器を花器の近傍に置く。続いて、吸入管の先端を容器内の水中に位置させると共に、排出管の先端を花器内に位置させ、前記と同様の操作により容器内の新しい水を花器に移す。
【００２５】
吸入管は上部が排出管側に折曲しているため、上述の如き水の交換作業中に、弾性握筒が花器に挿した被鑑賞物から離れた位置になる。従って、弾性握筒は、被鑑賞物に当接することなく、操作することができる。
【考案の効果】
【００２６】
本考案によれば、花器を動かすことなく、かつ、被鑑賞物を花器に挿したまま、花器内の水を交換することができ、しかも、吸入管、排出管の入れ替えを行なうことなく、水の送り作業を連続的に行なうことができる。
【００２７】
吸入管は上部が排出管側に折曲しているため、水の交換作業中に、弾性握筒が花器に挿した被鑑賞物から離れた位置になる。従って、弾性握筒は、被鑑賞物に当接することなく、操作することができる。
【考案を実施するための最良の形態】
【００２８】
符号１に示すものは膨縮自在の弾性握筒である。弾性握筒１は、手で握ったときには握力により収縮し、握力から解放したときには弾性により元の状態まで膨張する。弾性握筒１は、一例として、ベローズ筒とする。
【００２９】
弾性握筒１の下端には吸入管３と排出管４とを連通させる。排出管４は、好ましくは可撓性を有する。
【００３０】
吸入管３には第一逆止弁５を備えさせる。弾性握筒１が膨張することにより吸引作用をなすときに、第一逆止弁５は開いて吸入管３より弾性握筒１への水の流入を許す。第一握筒１が収縮することにより吐出し作用をなすときに、第一逆止弁５は閉じて弾性握筒１から吸入管３ヘの水の流出を阻止する。
【００３１】
排出管４には第二逆止弁７を備えさせる。弾性握筒１が膨張することにより吸引作用をなすときに、第二逆止弁７は閉じて排出管４より弾性握筒１への空気又は水の流入を阻止する。第一握筒１が収縮することにより吐出し作用をなすときに、第二逆止弁７は開いて弾性握筒１から排出管４ヘの水の流出を許す。
【００３２】
吸入管３は上部３ａが排出管４側に折曲している。
【００３３】
符号１１に示すものは、被鑑賞物である。符号１３ａに示すものは花器としての水盤である。符号１３ｂに示すものは、花器としての花瓶である。符号１５に示すものはバケツ等の容器である。
【図面の簡単な説明】
【００３４】
【図１】本考案による花器用の水交換具の一例を示す側面図である。
【図２】同上の使用状態の一例を示す側面図である。
【図３】同上の使用状態の別の一例を示す側面図である。
【符号の説明】
【００３５】
１  弾性握筒
３  吸入管
３ａ  上部
４  排出管
５  第一逆止弁
７  第二逆止弁
１１  被鑑賞物
１３ａ  水盤
１３ｂ  花瓶
１５  容器
【図１】
0003108976.tif 000003
【図２】
0003108976.tif 000004
【図３】
0003108976.tif 000005